(57)【要約】      （修正有）【課題】何処でも支持部により支持され、利用できる卓面が形成されるため、より実用的である多機能のカート構造を提供する。【解決手段】カートは本体に伸縮可能のグリップ２０があり、裏側に支持部３０が実装され、正面に収納籠４０が実装され、また、グリップに調整座５０により畳み式の卓面６０が結合され、支持部が開くと本体を支持することができ、また、グリップが上へ伸ばされると調整座の高さが調整でき、そして、水平にされた卓面の高さが調整される。【選択図】図２
0003122671.tif 000002
【実用新案登録請求の範囲】
【請求項１】
本体に伸縮可能のグリップがあり、裏側に支持部が実装され、グリップに畳み式の卓面が結合される多機能のカート構造であって、
本体の後段が、収納空間になり、下方にホイールが結合され、
グリップが、本体の収納空間の位置において伸縮可能であり、また、所定の高さに固定されて使用されることができ、
支持部が、本体の収納空間の裏側に軸着され、不使用しない時、収納空間に貼り付くように位置付けられ、使用する時、斜めになって本体を支持し、
卓面が、固定面と、その両側に軸支される畳み式の活動面とからなり、固定面に合わせて支持レバーが設置され、当該固定面が、調整座の前シートの上方に軸着され、支持レバーが、下方に軸着され、固定面の底部に、支持レバーに合わせて係合部品が設けられ、当該卓面が、活動面を畳むことにより本体の収納空間の中に収納される、
ことを特徴とする多機能のカート構造。
【請求項２】
カートは、本体の正面に収納籠が実装されることを特徴とする請求項１に記載の多機能のカート構造。
【請求項３】
本体の収納空間の正面に、複数の挿設パイプが結合され、収納籠は、本体の収納空間の下方に結合される下わく組があり、両側に側わく組が軸着され、側わく組が、伸縮レバーを挿設パイプに挿入することにより、設置され、下わく組と二つの側わく組との間に、伸縮ベルトが結合され、側わく組が伸縮可能になることを特徴とする請求項２に記載の多機能のカート構造。
【請求項４】
グリップに、上下に調整可能の調整座が結合され、卓面が、調整座に結合されることにより、グリップに結合され、調整座が、前、後シートとロック部品とからなり、前後シートがグリップの伸縮パイプを覆うように設置され、伸縮パイプに対応する位置に、ガイド槽が設けられ、これにより、調整座が上下に移動でき、前シートに、貫通穴が形成され、後シートにおいて、貫通穴に対応する位置に、ロック用穴が形成され、ロック部品が、貫通穴を通してロック用穴にロックされ、ロック部品が弛まれると、調整座が伸縮パイプにおいて摺動でき、締まられると、後シートを伸縮パイプに圧迫させ、前、後シートが、所定の高さに固定されることを特徴とする請求項１に記載の多機能のカート構造。
【請求項５】
収納空間の下方に、使用しない支持部を係止して固定するための弾性を有する係止部品が設けられることを特徴とする請求項１に記載の多機能のカート構造。
【考案の詳細な説明】
【技術分野】
【０００１】
本考案は、品物を省力と便利的に搬送できる「多機能のカート構造」に関し、特に、例えば、展示に供する品物を設置できる畳み式卓面を有するものに関する。
【背景技術】
【０００２】
業務員やセールスマン及び補修員は、大量にコンピュータや他の参考と展示種類及び商品を利用し、また、展示や補修の場所において、様々のツールが利用されるため、カートを使用すれば、非常に便利である。
【０００３】
勤務の時、ノートパソコンを、商品の展示や報告或いは動的展示に利用することが多く、また、例えば、展覧会でお客と商談する時、ノートパソコンを利用することは、メーカや会社にとって、一番有利である。
【０００４】
補修員は、自動化機械のソフトウェアとファームウェアの呼び出しなどのために、コンピュータを利用する場合が多いが、工場の中に、ノートパソコンを設置する場所が殆どない。
【０００５】
そのため、物の搬送とノートパソコンの設置に有利である、カートとテーブルとを結合するものは、必要である。
【考案の開示】
【考案が解決しようとする課題】
【０００６】
本考案の目的は、自分のホイールにより、荷物を搬送することが楽であり、また、支持部を利用して、何時でも本体を支持でき、また、調整座により、卓面が所定の高さに位置付けられ、開いた卓面は、ノートパソコン等を設置することに供することができ、機能性と実用性の優れた多機能のカート構造を提供する。
【課題を解決するための手段】
【０００７】
請求項１の考案は、本体に伸縮可能のグリップがあり、裏側に支持部が実装され、グリップに畳み式の卓面が結合される多機能のカート構造であって、本体の後段が、収納空間になり、下方にホイールが結合され、グリップが、本体の収納空間の位置において伸縮可能であり、また、所定の高さに固定されて使用されることができ、支持部が、本体の収納空間の裏側に軸着され、不使用しない時、収納空間に貼り付くように位置付けられ、使用する時、斜めになって本体を支持し、卓面が、固定面と、その両側に軸支される畳み式の活動面とからなり、固定面に合わせて支持レバーが設置され、当該固定面が、調整座の前シートの上方に軸着され、支持レバーが、下方に軸着され、固定面の底部に、支持レバーに合わせて係合部品が設けられ、当該卓面が、活動面を畳むことにより本体の収納空間の中に収納される、ことを特徴とする多機能のカート構造である。
【０００８】
請求項２の考案は、カートの本体の正面に収納籠が実装されることを特徴とする請求項１に記載の多機能のカート構造である。
【０００９】
請求項３の考案は、本体の収納空間の正面に、複数の挿設パイプが結合され、収納籠として、本体の収納空間の下方に結合される下わく組があり、両側に側わく組が軸着され、側わく組が、伸縮レバーを挿設パイプに挿入することにより、設置され、下わく組と二つの側わく組との間に、伸縮ベルトが結合され、側わく組が伸縮可能になることを特徴とする請求項２に記載の多機能のカート構造である。
【００１０】
請求項４の考案は、グリップに、上下に調整可能の調整座が結合され、卓面が、調整座に結合されることにより、グリップに結合され、調整座が、前、後シートとロック部品とからなり、前後シートがグリップの伸縮パイプを覆うように設置され、伸縮パイプに対応する位置に、ガイド槽が設けられ、これにより、調整座が上下に移動でき、前シートに、貫通穴が形成され、後シートにおいて、貫通穴に対応する位置に、ロック用穴が形成され、ロック部品が、貫通穴を通してロック用穴にロックされ、ロック部品が弛まれると、調整座が伸縮パイプにおいて摺動でき、締まられると、後シートを伸縮パイプに圧迫させ、前、後シートが、所定の高さに固定されることを特徴とする請求項１に記載の多機能のカート構造である。
【００１１】
請求項５の考案は、収納空間の下方に、使用しない支持部を係止して固定するための弾性を有する係止部品が設けられることを特徴とする請求項１に記載の多機能のカート構造である。
【考案を実施するための最良の形態】
【００１２】
図１乃至３のように、カートは、本体１０に伸縮可能のグリップ２０があり、裏側に支持部３０が実装され、正面に収納籠４０が実装され、グリップ２０に、調整座５０により畳み式の卓面６０が結合され、本体１０の後段は、収納空間１１になり、当該収納空間１１は、正面に、複数の挿設パイプ１２が結合され、下方に、ホイール１３が結合され、グリップ２０が、本体１０の収納空間１１の位置において伸縮可能であり、使用する時、所定の高さに固定されることができ、支持部３０が、本体１０の収納空間１１の裏側に軸着され、使用しない時、収納空間１１に貼り付くように位置付けられ、使用する時、斜めになって本体１０を支持し、また、収納空間１１において、支持部３０を設置する位置の下方に、弾性を有する係止部品３１(図４を参照しながら)が設けられ、収納籠４０は、本体１０の収納空間１１の下方に結合される下わく組４１があり、両側に、側わく組４２が軸着され、側わく組４２は、伸縮レバー４３を挿設パイプ１２に挿入することにより、設置され、下わく組４１と二つの側わく組４２との間に、伸縮ベルト４４が結合され、側わく組４２が伸縮可能になり、調整座５０は、前、後シート５１、５２と、ロック部品５３とからなり、前、後シート５１、５２は、グリップ２０の伸縮パイプを覆うように設置され、また、伸縮パイプに対応する位置に、ガイド槽５４が設けられ、これにより、調整座５０が上下に移動でき、前シート５１は、貫通穴５５が形成され、後シート５２は、貫通穴５５に対応する位置に、ロック用穴５６が形成され、ロック部品５３は、貫通穴５５を通してロック用穴５６にロックされ、ロック部品５３が弛まれると、調整座５０が伸縮パイプにおいて摺動でき、締まられると、後シート５２を伸縮パイプに圧迫させ、前、後シート５１、５２が、所定の高さに固定され、また、卓面６０は、固定面６１と、その両側に軸支される畳み式の活動面６２とからなり、固定面６１に合わせて支持レバー６３が設置され、当該固定面６１は、調整座５０の前シート５１の上方に軸着され、支持レバー６３は、下方に軸着され、また、固定面６１の底部に、支持レバー６３に合わせて係合部品６４が設けられ、当該卓面６０は、活動面６２が畳まれることにより、本体１０の収納空間１１に収納されることができる。
【００１３】
図４、５を参照しながら、カートが、ホイール１３を利用して、引張られる時、支持部３０は、使用しないため、本体１０に近付かれて係止部品３１によって係止されて位置付けられ、また、停止する時、支持部３０を開いてカートを支持する。
【００１４】
図６のように、左、右の側わく組４２を開いて、品物を入れ込んでから、側わく組４２を放すと、伸縮ベルト４４の弾性により、品物が硬く位置付けられる。
【００１５】
カートを使用する時、直接に、カートのグリップ２０を伸ばして、伸ばした後の長さが、調整座５０の移動レールとして利用され、また、後シート５２にロックされたロック部品５３を弛んで、卓面６０を本体１０の収納空間１１から取り出し(或いは、調整座５０をグリップ２０の上段にロックすることにより、グリップ２０が伸ばされる時、同時に、卓面６０が、ある高さに取り出される)、図７乃至９のように、固定面６１が水平にされた後、支持レバー６３の下方が、係合部品６４に係止されて固定され、これにより、固定面６１が支持されて固定され、また、両側の活動面６２を開くことにより、卓面６０は、使用面が拡大され、また、水平にされた卓面６０は、高さが、グリップ２０において、前、後シート５１、５２とロック部品５３とによって調整されて固定され、そして、使用しない時、逆の動作で、卓面６０を畳んで収納空間１１に収納する(図９の状態である)。
【００１６】
上記の具体的の実施例の構造によれば、カートのホイール１３により、荷物を搬送することが楽であり、また、支持部３０を利用して、何時でも本体１０を支持でき、また、調整座５０により、卓面６０が所定の高さに位置付けられ、開いた卓面６０は、ノートパソコン等を設置することに供することができ、そのため、より実用的なものである。
【図面の簡単な説明】
【００１７】
【図１】本考案の収納状態の立体組合わせ図
【図２】本考案の展開状態の立体組合わせ図
【図３】本考案の立体分解図
【図４】本考案の支持部の使用状態の立体図
【図５】本考案の支持部の収納状態の立体図
【図６】本考案の収納籠の使用状態の概念図
【図７】本考案の調整座の使用状態の断面図
【図８】本考案の調整座による卓面の高さを調整する時の概念図
【図９】本考案の収納状態の側面図
【符号の説明】
【００１８】
１０          本体
１１          収納空間
１２          挿設パイプ
１３          ホイール
２０          グリップ
３０          支持部
３１          係止部品
４０          収納籠
４１          下わく組
４２          側わく組
４３          伸縮レバー
４４          伸縮ベルト
５０          調整座
５１          前シート
５２          後シート
５３          ロック部品
５４          ガイド槽
５５          貫通穴
５６          ロック用穴
６０          卓面
６１          固定面
６２          活動面
６３          支持レバー
６４          係合部品
【図１】
0003122671.tif 000003
【図２】
0003122671.tif 000004
【図３】
0003122671.tif 000005
【図４】
0003122671.tif 000006
【図５】
0003122671.tif 000007
【図６】
0003122671.tif 000008
【図７】
0003122671.tif 000009
【図８】
0003122671.tif 000010
【図９】
0003122671.tif 000011